(57)【特許請求の範囲】
【請求項１】
０〜９の数字のいずれかと適宜な英文字の組合せの０〜９を含む文字列を作り、前記０〜９を含む文字列を乱数的に配置した乱数表を有するカードと、
前記カードを挿入する挿入部と、この挿入部に前記カードが挿入された状態で乱数表を表示可能な方形開口部と、この方形開口部のいずれかの横辺及びいずれかの縦辺に０〜９の番号を有するカードセット体を含み、
前記カードセット体に、前記カードの挿入位置を変更して保持可能な保持部材を備え、
前記横辺の０〜９の番号、または前記縦辺の０〜９の番号のいずれかを主番号とし、この主番号とした他方の０〜９の番号を従番号とし、
パスワードによって処理すべき対象の情報に基づき従番号と前記カードの挿入位置を決め、
前記決めた従番号によって前記乱数表の０〜９を含む文字列を選択対象と定め、
予め設定しているパスワードの情報に基づき主番号を決め、
前記決めた主番号によって前記乱数表の０〜９を含む文字列を選択対象と定め、
前記従番号による選択対象の０〜９を含む文字列と、前記主番号による選択対象の０〜９を含む文字列との交差によって新たなパスワードを人により設定することが可能なパスワード設定具。
【発明の詳細な説明】
【技術分野】
【０００１】
この発明は、予め設定しているパスワードの情報に基づき新たなパスワードを設定することが可能なパスワード設定具に関する。
【背景技術】
【０００２】
移動体通信システムなどにおいては、携帯電話機から予め登録した内容と乱数表から選択された乱数コードとを暗号化してワンタイムパスワードとして生成し（例えば特許文献１）、携帯電話機の紛失や盗難による不正利用を最小限に抑えることを可能にしている。
【０００３】
このような移動体通信システムに限らず、金融システムにおいてもキャッシュカード、クレジットカードなどにもパスワードを設定し、キャッシュカード、クレジットカードなどの紛失や盗難による不正利用を抑えるようにしている。
【先行技術文献】
【特許文献】
【０００４】
【特許文献１】特開２００６−１４０５４３号公報
【発明の概要】
【発明が解決しようとする課題】
【０００５】
ところで、キャッシュカード、クレジットカードなどのパスワードの設定は、設定したパスワードを忘れることがあるために、生年月日、電話番号、住所などと関連づけて設定していることがある。また、同一のパスワードを流用して使用することも少なくない。
【０００６】
このため、例えばキャッシュカード、クレジットカードなどと一緒に、運転免許証や名刺などもバックや鞄に入れていることがあり、このバックや鞄が盗まれることがあると、運転免許証や名刺などから生年月日、電話番号、住所などを知ることができ、容易にパスワードが解り不正利用される虞がある。
【０００７】
そこで、この発明は、このような従来技術の問題点を解消するべく案出されたものであり、予め設定しているパスワードの情報に基づき新たなパスワードを、個別に設定することが可能なパスワード設定具を提供することを目的とする。
【課題を解決するための手段】
【０００８】
この発明は、上述の目的を達成するため、以下のように構成した。
【００１０】
請求項１に記載の発明は、
０〜９の数字のいずれかと適宜な英文字の組合せの０〜９を含む文字列を作り、前記０〜９を含む文字列を乱数的に配置した乱数表を有するカードと、
前記カードを挿入する挿入部と、この挿入部に前記カードが挿入された状態で乱数表を表示可能な方形開口部と、この方形開口部のいずれかの横辺及びいずれかの縦辺に０〜９の番号を有するカードセット体を含み、
前記カードセット体に、前記カードの挿入位置を変更して保持可能な保持部材を備え、
前記横辺の０〜９の番号、または前記縦辺の０〜９の番号のいずれかを主番号とし、この主番号とした他方の０〜９の番号を従番号とし、
パスワードによって処理すべき対象の情報に基づき従番号と前記カードの挿入位置を決め、
前記決めた従番号によって前記乱数表の０〜９を含む文字列を選択対象と定め、
予め設定しているパスワードの情報に基づき主番号を決め、
前記決めた主番号によって前記乱数表の０〜９を含む文字列を選択対象と定め、
前記従番号による選択対象の０〜９を含む文字列と、前記主番号による選択対象の０〜９を含む文字列との交差によって新たなパスワードを人により設定することが可能なパスワード設定具である。
【発明の効果】
【００１１】
前記構成により、この発明は、以下のような効果を有する。
【００１２】
請求項１に記載の発明では、従番号による選択対象の０〜９を含む文字列と、主番号による選択対象の０〜９を含む文字列との交差によって予め設定しているパスワードから新たなパスワードを設定することが可能であり、この新たなパスワードによって生年月日、電話番号、住所などから容易にパスワードが解ることがなく、キャッシュカード、クレジットカードなどが紛失や盗難によって不正利用されることを防止することができる。
【００１３】
請求項２に記載の発明では、乱数表を有するカードと、カードセット体と、を含み、カードセット体に、カードの挿入位置を変更し、従番号による選択対象の０〜９を含む文字列と、主番号による選択対象の０〜９を含む文字列との交差によって予め設定しているパスワードから新たなパスワードを設定することが可能であり、この新たなパスワードによって生年月日、電話番号、住所などから容易にパスワードが解ることがなく、キャッシュカード、クレジットカードなどが紛失や盗難によって不正利用されることを防止することができる。
【図面の簡単な説明】
【００１４】
【図１】第１の実施の形態のパスワード設定具の平面図である。
【図２】パスワード管理手法のフローチャートである。
【図３】従番号決定手法のフローチャートである。
【図４】主番号決定手法のフローチャートである。
【図５】第２の実施の形態のパスワード設定具の平面図である。
【図６】カードの平面図である。
【図７】カードセット体の平面図である。
【図８】カードセット体をカード挿入側から見た図である。
【図９】カードセット体の断面図である。
【発明を実施するための形態】
【００１５】
以下、この発明のパスワード設定具の実施の形態について説明する。この発明の実施の形態は、発明の最も好ましい形態を示すものであり、この発明はこれに限定されない。
［第１の実施の形態］
【００１６】
図１は第１の実施の形態のパスワード設定具の平面図である。この第１の実施の形態のパスワード設定具１は、方形のカードで構成され、この方形のカードの材質は、紙や樹脂などが用いられる。パスワード設定具１は、いずれかの横辺に０〜９の番号と、いずれかの縦辺に０〜９の番号と、を有する。この実施の形態では、上側の横辺に０〜９の番号を有し、左側の縦辺に０〜９の番号を有する。
【００１７】
横辺の０〜９の番号、または縦辺の０〜９の番号のいずれかを主番号とし、この主番号とした他方の０〜９の番号を従番号とするが、この実施の形態では、上側の横辺の０〜９の番号を主番号１０とし、左側の縦辺の０〜９の番号を従番号２０とする。
【００１８】
そして、パスワード設定具１は、０〜９の数字のいずれかと適宜な英文字の組合せの０〜９を含む文字列を作り、主番号１０と従番号２０とに対応する行列の各行と各列に、０〜９を含む文字列を乱数的に配置した乱数表３０を有する。この乱数表３０の下方位置に、新たに設定したパスワードに関する情報を記入する記入欄４０を設けている。
【００１９】
このパスワード設定具１では、パスワードによって処理すべき対象の情報に基づき従番号を決める。例えば、銀行口座×○△□の先頭桁が「１」ならば従番号を「１」とし、決めた従番号２０によって乱数表３０の０〜９を含む文字列を選択対象と定め、予め設定しているパスワードの情報、例えば「１２３４」に基づき主番号１０を決め、決めた主番号１０によって乱数表３０の０〜９を含む文字列を選択対象と定める。
【００２０】
そして、従番号２０による選択対象の０〜９を含む文字列と、主番号１０による選択対象の０〜９を含む文字列との交差によって新たなパスワードを設定することが可能である。すなわち、従番号２０による選択対象が「１」であり、主番号１０による選択対象が「１２３４」であると、新たなパスワードが「８９０３」と設定される。この実施の形態では、０〜９を含む文字列の数値のみを取り出して新たなパスワードが「８９０３」と設定され、この新たなパスワードに関する口座情報等を、記入欄４０に記入しておき、前記従番号が「１」であることを連想できる様にしておく。
【００２１】
このようにして、従番号２０による選択対象の０〜９を含む文字列と、主番号１０による選択対象の０〜９を含む文字列との交差によって予め設定しているパスワードから新たなパスワードを設定することが可能である。新たなパスワードは、数字のみでもよく、文字のみでもよく、数字と文字の組み合わせでもよい。
【００２２】
この新たなパスワードによって、生年月日、電話番号、住所などから容易にパスワードが解ることがなく、キャッシュカード、クレジットカードなどが紛失や盗難によって不正利用されることを防止することができる。
【００２３】
次に、図２のパスワード管理手法のフローチャートに基づいて第１の実施の形態を説明する。
【００２４】
パスワード管理では、まず、０〜９の其々と適宜な英文字の組合せとを作り、１０×１０の行列の各行と列に、この０〜９を含む文字列を乱数的に配置した行列の乱数表１０を作成しておく（Ｓ１１）。
【００２５】
次に、主番号の並びを選択し（Ｓ１２）、例えば縦並びを選択したなら行列の縦並びを主番号に、横並びを従番号に選択し（Ｓ１３）、例えば横並びを選択したなら行列の横並びを主番号に、縦並びを従番号に選択する（Ｓ１４）。
【００２６】
口座番号等の情報を元に、従番号１０を決める（Ｓ１５）。そして、予め設定しているパスワードの各桁を、１桁目から処理する（Ｓ１６）。予め設定しているパスワードのｎ桁目の数値を元に、主番号１０を決める（Ｓ１７）。
【００２７】
行列の乱数表１０において、主番号１０の並びと、従番号２０の並びの交差部分の文字を、得られた新たなパスワードのｎ番目とする（Ｓ１８）。このようにして、予め設定しているパスワードの最終桁まで処理し（Ｓ１９，Ｓ２０）、得られた新たなパスワードのうち、アルファベットが不要ならば削除する（Ｓ２１）。
【００２８】
次に、他の実施の形態の従番号決定について説明する。図３は従番号決定手法のフローチャートである。図２によるパスワードの新規設定の場合には（Ｓ３１）、銀行口座番号等の先頭桁や末尾桁、又は固定の桁の数字を従番号とする（Ｓ３２）。図２によるパスワードの新規設定でない場合には（Ｓ３１）、パスワードの更新か否かの判断を行い（Ｓ３３）、パスワードの更新の場合には、銀行口座番号等の末尾に任意の数字を追加し、記入欄４０にメモしておく（Ｓ３４）。
【００２９】
このパスワードの更新の場合、またステップＳ３３においてパスワードの更新でない場合には、口座番号等の末尾からＸ桁目とＹ桁目を足したり、あるいは掛けたりした答えの下１桁を従番号とする。または、同様に末尾からＸ桁目を主番号にみたて、Ｙ桁目を従番号にみたてた其々の並びが交差する文字列の数字を従番号とする（Ｓ３５）。
【００３０】
次に、他の実施の形態の主番号決定について説明する。図４は主番号決定手法のフローチャートである。図２によるパスワードの新規設定の場合には（Ｓ４１）、いつものパスワードのｎ桁目の数値を、そのまま主番号とする（Ｓ４２）。
【００３１】
図２によるパスワードの新規設定でない場合には、予め設定しているパスワードのｎ桁目の数値を主番号とし、先に決めた従番号の並びと交差する文字列の数字を主番号とする。または、予め設定しているパスワードのｎ桁目の数値を主番号とし、固定の従番号の並びと交差する文字列の数字を主番号とする（Ｓ４２）。
【００３２】
このように、従番号決定と、主番号決定が図２のパスワード管理手法が異なるが、他の取り扱いは同様して新たなパスワードが設定される。
［第２の実施の形態］
【００３３】
この第２の実施の形態のパスワード設定具は、図５乃至図８に示すように構成される。図５はパスワード設定具の平面図、図６はカードの平面図、図７はカードセット体の平面図、図８はカードセット体をカード挿入側から見た図、図９はカードセット体の断面図である。
【００３４】
この実施の形態のパスワード設定具１は、方形のカード５０と、カードセット体６０と、を有する。この方形のカード５０は、材質として紙や樹脂などが用いられ、０〜９の数字のいずれかと適宜な英文字の組合せの０〜９を含む文字列を作り、０〜９を含む文字列を乱数的に配置した乱数表５１を有する。
【００３５】
カードセット体６０は、カード５０を挿入する挿入部６１と、この挿入部６１にカード５０が挿入された状態で乱数表５１を表示可能な方形開口部６２と、この方形開口部６２のいずれかの横辺及びいずれかの縦辺に０〜９の番号を有する。この実施の形態では、方形開口部６２の上側の横辺に０〜９の番号を有し、左側の縦辺に０〜９の番号を有する。
【００３６】
この実施の形態では、カード５０の乱数表５１には列が左側の縦辺に０〜９の番号に対応する部分より多く設けられ、方形開口部６２によって乱数表５１の特定範囲を表示可能になっている。
【００３７】
カードセット体６０には、挿入部６１に先端部６３ａが突出するように保持部材６３を備え、この保持部材６３はスプリングで構成される。カード５０の側部には、凹凸５２が形成され、カード５０を挿入部６１に挿入した状態で、保持部材６３の先端部６３ａが凹凸５２に係合する。
【００３８】
カード５０の挿入位置を変更する際には、カード５０の凹凸５２によって保持部材６３の先端部６３ａが押されてカード５０を自由に移動することができ、カード５０を所定位置に停止すると、保持部材６３の先端部６３ａが凹凸５２に係合して保持される。カードセット体６０は、方形開口部６２の下方位置に、新たに設定したパスワードに関する口座情報等を記入する記入欄６３を有する。
【００３９】
このように、カード５０の挿入位置を変更することで、方形開口部６２によって乱数表５１の表示範囲を変更することができ、これにより新たに設定するパスワードの設定範囲を変更することができる。
【００４０】
この実施の形態では、第１の実施の形態と同様に、横辺の０〜９の番号、または縦辺の０〜９の番号のいずれかを主番号とし、この主番号とした他方の０〜９の番号を従番号とし、パスワードによって処理すべき対象の情報に基づき従番号とカード５０の挿入位置を決め、決めた従番号によって乱数表５１の０〜９を含む文字列を選択対象と定め、予め設定しているパスワードの情報に基づき主番号を決め、決めた主番号によって乱数表５１の０〜９を含む文字列を選択対象と定め、従番号による選択対象の０〜９を含む文字列と、主番号による選択対象の０〜９を含む文字列との交差によって新たなパスワードを設定することが可能である。
【産業上の利用可能性】
【００４１】
この発明は、予め設定しているパスワードの情報に基づき新たなパスワードを設定することが可能であり、キャッシュカード、クレジットカードなどが紛失や盗難によって不正利用されることを防止することができる。
【符号の説明】
【００４２】
１  パスワード設定具
１０  主番号
２０  従番号
３０  乱数表
４０  記入欄
５０  カード
５１  乱数表
５２  カードの凹凸
５３  挿入位置決め目印
６０  カードセット体
６１  挿入部
６２  方形開口部
６３  保持部材
６３ａ  保持部材の先端部
【図１】
0005692855.tif 000002
【図２】
0005692855.tif 000003
【図３】
0005692855.tif 000004
【図４】
0005692855.tif 000005
【図５】
0005692855.tif 000006
【図６】
0005692855.tif 000007
【図７】
0005692855.tif 000008
【図８】
0005692855.tif 000009
【図９】
0005692855.tif 000010